(57)【要約】【課題】利用者端末の処理要求に対し、コンピュータ装置の処理優先順位を通信サブシステムの通信状態に適応して更新し、処理能力を効率的に利用する。【解決手段】コンピュータ装置３０に通信サブシステム４１を通じて接続し、処理要求に発信時間を添付して送信する発信時間付送受信手段２１１を備える利用者端末２１と、利用者端末２１を通信サブシステム４１を通じて接続し、処理要求に添付された発信時間によって、通信サブシステム４１の通信状態を示す転送時間を測定し、通信状態によって処理要求の優先順位を更新する通信状態監視手段３１を備えるコンピュータ装置３０と、でなるコンピュータシステム。【選択図】      図１
2006277308.tif 000002
【特許請求の範囲】
【請求項１】
複数の利用者端末から通信サブシステムを介して処理要求を受信し、当該処理要求の優先順位を判定して当該処理要求を優先順に処理し、その処理結果を前記利用者端末に前記通信サブシステムを介して返信するコンピュータ装置を有するコンピュータシステムにおいて、
前記利用者端末は、
前記処理要求に発信時間を添付して送信する発信時間付送受信手段を備え、
前記コンピュータ装置は、
前記発信時間付送受信手段から送信された前記処理要求に添付された発信時間と自装置が備える時計の時間とによって、前記通信サブシステムの転送時間を測定して得られる通信状態に適応して前記処理要求の優先順位を更新する手段を備え、
てなることを特徴とするコンピュータシステム。
【請求項２】
利用者端末から通信サブシステムを介して受信した処理要求に添付された発信時間と自装置が備える時計の時間とによって、前記通信サブシステムの転送時間を測定して得られる通信状態を判定する通信状態監視手段と、
前記通信状態に基づいて、利用者端末毎に前記処理要求の優先順位を更新する優先順位更新手段と、
前記優先順位に基づいて、利用者端末毎に前記処理要求をスケジュールする処理スケジュール手段と、
前記スケジュールに基づいて、前記処理要求の業務処理を実行し、その処理結果を前記通信サブシステムを介して返信する処理実行手段と、
を有することを特徴とするコンピュータ装置。
【請求項３】
前記優先順位更新手段は、
測定した転送時間が、初期値として設定される転送時間より大きいとき、通信状態が低下しているとして、複数段階を有する優先順位を下げ、前記転送時間が初期値より小さいとき、通信状態が正常として、優先順位を初期値に保つことを特徴とする請求項２記載のコンピュータ装置。
【請求項４】
利用者端末が、処理要求に発信時間を添付して通信サブシステムを介してコンピュータ装置に送信する前記処理要求を受信するステップと、
コンピュータ装置が、前記処理要求に添付された発信時間と自装置が備える時計の時間とに基づいて、前記通信サブシステムの転送時間を測定して通信状態を判定するステップと、
前記通信状態に基づいて、利用者端末毎に前記処理要求の優先順位を更新するステップと、
前記優先順位に基づいて、利用者端末毎に前記処理要求をスケジュールするステップと、
前記スケジュールに基づいて、前記処理要求の業務処理を実行し、前記業務処理が終了しているか否かを監視し、前記業務処理が終了したら、その処理結果を要求元の利用者端末に送信するステップと、
を含むことを特徴とする方法。
【請求項５】
前記優先順位を更新するステップは、
測定した転送時間が、初期値として設定される転送時間より大きいとき、通信状態が低下しているとして、複数段階を有する優先順位を下げ、前記転送時間が初期値より小さいとき、通信状態が正常として、優先順位を初期値に保つことを特徴とする請求項４記載の方法。
【請求項６】
コンピュータ装置に、
利用者端末から通信サブシステムを介して送信された処理要求に添付された発信時間と自装置が備える時計の時間とに基づいて、前記通信サブシステムの転送時間を測定して通信状態を判定するステップと、
前記通信状態に基づいて、利用者端末毎に前記処理要求の優先順位を更新するステップと、
前記優先順位に基づいて、利用者端末毎に前記処理要求をスケジュールするステップと、
前記スケジュールに基づいて、前記処理要求の業務処理を実行し、前記業務処理が終了しているか否かを監視し、前記業務処理が終了したら、その処理結果を要求元の利用者端末に送信するステップと、
を実行させることを特徴とするプログラム。
【請求項７】
複数の利用者端末から通信サブシステムを介して処理要求を受信し、当該処理要求の優先順位を判定して当該処理要求を優先順に処理し、その処理結果を前記利用者端末に前記通信サブシステムを介して返信するコンピュータ装置を有するコンピュータシステムにおいて、
前記利用者端末は、
前記コンピュータ装置から送信される処理結果に添付された発信時間と自装置が備える時計の時間とによって、前記通信サブシステムの転送時間を測定して得られる通信状態を保持し、前記処理要求に前記通信状態を添付して送信する通信監視手段を備え、
前記コンピュータ装置は、
前記通信監視手段から送信された前記処理要求に添付された前記通信状態に適応して前記処理要求の優先順を更新する手段を備え、
てなることを特徴とするコンピュータシステム。
【請求項８】
処理結果に発信時間を添付して利用者端末へ通信サブシステムを介して送信する発信時間付送受信手段と、
前記利用者端末から受信した処理要求に添付された通信状態を抽出する通信状態情報抽出手段と、
前記通信状態に基づいて、利用者端末毎に前記処理要求の優先順位を更新する優先順位更新手段と、
前記優先順位に基づいて、利用者端末毎に前記処理要求をスケジュールする処理スケジュール手段と、
前記スケジュールに基づいて、前記処理要求の業務処理を実行し、その処理結果を前記発信時間付送受信手段により返信する処理実行手段と、
を有することを特徴とするコンピュータ装置。
【請求項９】
前記優先順位更新手段は、
測定した転送時間が、初期値として設定される転送時間より大きいとき、通信状態が低下しているとして、複数段階を有する優先順位を下げ、前記転送時間が初期値より小さいとき、通信状態が正常として、優先順位を初期値に保つことを特徴とする請求項８記載のコンピュータ装置。
【請求項１０】
コンピュータ装置に通信サブシステムを通じて接続し、受信する処理結果に添付された発信時間によって、前記通信サブシステムの転送時間を測定して得られる通信状態を保持し、前記通信状態を処理要求に添付して送信する通信状態監視手段を有することを特徴とする利用者端末。
【請求項１１】
利用者端末が保持する通信状態を添付した処理要求をコンピュータ装置が受信するステップと、
前記処理要求から前記通信状態情報を抽出するステップと、
前記通信状態情報に基づいて、利用者端末毎に前記処理要求の優先順位を更新するステップと、
前記優先順位に基づいて、利用者端末毎に前記処理要求をスケジュールするステップと、
前記スケジュールに基づいて、前記処理要求の業務処理を実行するステップと、
前記処理実行の終了を監視するステップと、
前記処理実行が終了したとき、発信時間を前記業務処理の処理結果に添付して前記利用者端末に送信するステップと、
を含むことを特徴とする方法。
【請求項１２】
コンピュータ装置に、
利用者端末から通信状態を添付した処理要求を受信するステップと、
前記処理要求から前記通信状態情報を抽出するステップと、
前記通信状態情報に基づいて、利用者端末毎に前記処理要求の優先順位を更新するステップと、
前記優先順位に基づいて、利用者端末毎に前記処理要求をスケジュールするステップと、
前記スケジュールに基づいて、前記処理要求の業務処理を実行するステップと、
前記処理実行の終了を監視するステップと、
前記処理実行が終了したとき、発信時間を前記業務処理の処理結果に添付して前記利用者端末に送信するステップと、
を実行させることを特徴とするプログラム。
【発明の詳細な説明】
【技術分野】
【０００１】
この発明は、処理優先順位を適応制御するコンピュータシステムに関し、特に、利用者端末に対する通信状態に応じて処理優先順位を適応制御するコンピュータシステム及びその装置及びその方法及びそのプログラムに関する。
【背景技術】
【０００２】
クライアント計算機から処理要求を受けてサーバ計算機が該処理要求を処理するシステムで、処理要求の優先度に、サーバ計算機の負荷状況と、処理要求元の属性と、を反映させる例がある。サーバ計算機には、応用プログラムの実行手段と、それの負荷状況を監視する手段と、要求元のユーザＩＤを実行手段に渡す手段と、ユーザＩＤで識別するユーザの重要度を管理するユーザ情報管理手段と、によって、処理要求の優先度を決め、負荷分散をする。つまり、サーバ状況と、ユーザの重要度が処理優先度に反映する（例えば、特許文献１）。
【０００３】
更に、ゲートウェイで受信した電文を優先度の高いものを優先してサーバに送る例がある。これは、受信した電文を第１の格納領域から第２の格納領域に移す際に、優先して処理する電文に転送順位を付しすで、優先度の高い順に電文をサーバに送るようになる。ここでは、電文の重要度が処理の優先度に反映される（特許文献２）。
【０００４】
【特許文献１】特開２００１−２２７１４号公報（カラム番号００２８，００３２乃至００３４）
【特許文献２】特開２００２−３６６４５７号公報（カラム００５１乃至００５６）
【発明の開示】
【発明が解決しようとする課題】
【０００５】
従来の、利用者端末からの処理要求に対して、コンピュータ装置の負荷状況と処理要求の属性とが考慮されるが、通信サブシステムの通信状況とコンピュータ装置の処理能力とを連携させていない。コンピュータ装置が利用者端末に処理結果を送信する場合、処理結果が利用者端末に送信完了するまで通信サブシステムに接続を保つようなケースでは、通信状態に応じてコンピュータ装置の処理能力に待ちによる無駄が生じ、処理能力の効率的な使用が妨げられる問題があった。
【０００６】
この問題を図面を参照して例で説明する。図５は、利用者端末に対して処理能力を提供するで、利用者端末からの処理要求がサーバに渡り、処理結果が利用者端末に受信される過程を考える。前提として、サーバの処理能力は、処理要求の処理結果が利用者端末に渡されるまで、該処理要求に割り付けられるとする。
【０００７】
利用者端末５０１と利用者端末５１１とから、処理能  力提供サーバ５２１において、同一の処理能力を要する処理５０３、処理５１３  の要求があった場合、これらの処理５０３、処理５１３は、サー  バ５２１で４秒の処理時間を要し、途中、２秒分の処理が終わった段階で、処理結果５０４および処理結果５１４を利用者端末に送り、全ての処理が完了した時点で、処理結果５０５、及び処理結果５１５を利用者端末に送る。利用者端末５０１とサーバ５２１との通信サブシステム５０２の通信状態は、処理結果５０４および処理結果５０５を利用者端末５０１に送信するのに、各々３秒を要する状態であったとする。また、利用者端末５０２とサーバ５２１との通信サブシステム５１２の状態は、この処理５１４および処理結果５１５を利用者端末５１１に送信するのに、各々１秒を要する状態であったとする。
【０００８】
上記の例において、従来のシステムでは、サーバ５２１で処理５０３が開始されてから、利用者端末５０１に処理結果５０４および処理結果５０５の送信が完了するまでに、処理結果５０４を得るための２秒と、処理結果５０５を利用者端末５０１に送信する迄の３秒と、処理結果５０５を利用者端末５０１に送るまでの３秒と、を合計して８秒を要する。しかし、サーバ５２１の処理能力を費やすのは、処理結果５０４を得るための２秒と、処理結果５０４を得るための２秒と、処理結果５０５を利用者端末に最終的に送るまでの３秒と、の合計７秒である。したがって、８秒と７秒の差の１秒分は、サーバの処理能力を有効に利用していないことになる。
【０００９】
更に、利用者端末５１１の場合、サーバ５２１で処理５１３が開始されてから、利用者端末５１１に処理結果５１４および処理結果５１５の送信が完了するまでに、処理結果５１４を得るための２秒と、処理結果５１５を得るための２秒と、利用者端末５１１に処理結果５１５を送信するための１秒と、を合計すると、５秒を要する。これに、処理能力を処理５１２に通信状態に適応的に割り当てることが可能になると、処理５０３で余った１秒を処理５１３で利用することが可能になり、先述の５秒より短縮することが可能になる。
【００１０】
この発明の目的は、利用者端末の処理要求に対して、コンピュータ装置の処理優先順位を通信サブシステムの通信状態に適応して更新することにより、処理能力の利用をより効率的にすることにある。
【課題を解決するための手段】
【００１１】
そのため、この発明の、複数の利用者端末から通信サブシステムを介して処理要求を受信し、当該処理要求の優先順位を判定して当該処理要求を優先順に処理し、その処理結果を前記利用者端末に前記通信サブシステムを介して返信するコンピュータ装置を有するコンピュータシステムにおいて、前記利用者端末は、前記処理要求に発信時間を添付して送信する発信時間付送受信手段を備え、前記コンピュータ装置は、前記発信時間付送受信手段から送信された前記処理要求に添付された発信時間と自装置が備える時計の時間とによって、前記通信サブシステムの転送時間を測定して得られる通信状態に適応して前記処理要求の優先順位を更新する手段を備え、てなることを特徴とする。
【００１２】
更に、利用者端末から通信サブシステムを介して受信した処理要求に添付された発信時間と自装置が備える時計の時間とによって、前記通信サブシステムの転送時間を測定して得られる通信状態を判定する通信状態監視手段と、前記通信状態に基づいて、利用者端末毎に前記処理要求の優先順位を更新する優先順位更新手段と、前記優先順位に基づいて、利用者端末毎に前記処理要求をスケジュールする処理スケジュール手段と、前記スケジュールに基づいて、前記処理要求の業務処理を実行し、その処理結果を前記通信サブシステムを介して返信する処理実行手段と、を有することを特徴とする。
【００１３】
更に、前記優先順位更新手段は、測定した転送時間が、初期値として設定される転送時間より大きいとき、通信状態が低下しているとして、複数段階を有する優先順位を下げ、前記転送時間が初期値より小さいとき、通信状態が正常として、優先順位を初期値に保つことを特徴とする。
【００１４】
更に、複数の利用者端末から通信サブシステムを介して処理要求を受信し、当該処理要求の優先順位を判定して当該処理要求を優先順に処理し、その処理結果を前記利用者端末に前記通信サブシステムを介して返信するコンピュータ装置を有するコンピュータシステムにおいて、前記利用者端末は、前記コンピュータ装置から送信される処理結果に添付された発信時間と自装置が備える時計の時間とによって、前記通信サブシステムの転送時間を測定して得られる通信状態を保持し、前記処理要求に前記通信状態を添付して送信する通信監視手段を備え、前記コンピュータ装置は、前記通信監視手段から送信された前記処理要求に添付された前記通信状態に適応して前記処理要求の優先順を更新する手段を備え、てなることを特徴とする。
【００１５】
更に、処理結果に発信時間を添付して利用者端末へ通信サブシステムを介して送信する発信時間付送受信手段と、前記利用者端末から受信した処理要求に添付された通信状態を抽出する通信状態情報抽出手段と、前記通信状態に基づいて、利用者端末毎に前記処理要求の優先順位を更新する優先順位更新手段と、前記優先順位に基づいて、利用者端末毎に前記処理要求をスケジュールする処理スケジュール手段と、前記スケジュールに基づいて、前記処理要求の業務処理を実行し、その処理結果を前記発信時間付送受信手段により返信する処理実行手段と、を有することを特徴とするコンピュータ装置。
更に、前記優先順位更新手段は、測定した転送時間が、初期値として設定される転送時間より大きいとき、通信状態が低下しているとして、複数段階を有する優先順位を下げ、前記転送時間が初期値より小さいとき、通信状態が正常として、優先順位を初期値に保つことを特徴とする。
【００１６】
更に、コンピュータ装置に通信サブシステムを通じて接続し、受信する処理結果に添付された発信時間によって、前記通信サブシステムの転送時間を測定して得られる通信状態を保持し、前記通信状態を処理要求に添付して送信する通信状態監視手段を有することを特徴とする利用者端末。
【発明の効果】
【００１７】
この発明の効果は、利用者の利用者端末に対するコンピュータ装置の処理スケジュールを通信状態に適応して優先順位を更新し、処理能力を効率的に利用することにある。
その理由は、通信サブシステムの通信状態を示す応答時間を測定し、その結果によって、利用者端末毎に処理要求の優先順位を更新して、処理スケジュールすることができるからである。
【発明を実施するための最良の形態】
【００１８】
この発明を実施するための第１の実施の形態について図面を参照して説明する。図１を参照すると、コンピュータシステム１０は、利用者端末２１乃至２ｎと、利用者端末２１乃至２ｎの処理要求に対して業務処理を実行するコンピュータ装置３０と、利用者端末２１乃至２ｎのそれぞれとコンピュータ装置３０とを接続する通信下位プロトコルを実行する通信サブシステム４１乃至４ｎと、を備える。
【００１９】
利用者端末２１乃至２ｎは、利用者が操作する端末装置で、コンピュータ装置３０に処理要求をし、要求の業務処理させて、それの処理結果を受信する。更に、利用者端末２１乃至２ｎは、通信サブシステム４１乃至４ｎの通信状態をコンピュータ装置３０で測定するため、処理要求に発信時間を添付して送信する発信時間付送受信手段２１１乃至２ｎ１をそれぞれ備える。
【００２０】
コンピュータ装置３０は、通信サブシステム４１乃至４ｎの通信状態を、利用者端末２１乃至２ｎから送信される処理要求に添付された発信時間によって、転送時間を測定して得られた通信状態を保持する通信状態監視手段３１と、該通信状態によって、利用者端末の処理要求の優先順を更新する優先順位更新手段３２と、処理要求に基づいて処理要求をスケジュールする処理スケジュール手段３３と、処理要求の業務処理を実行する処理実行手段３４と、を備えている。
【００２１】
通信状態の判定は、処理要求に添付された利用者端末の発信時間と、処理要求を受信したコンピュータ装置の時計による受信時間とを比較し、通信サブシステム４１乃至４ｎの転送時間を測定し、初期値の転送時間と比べて大きい場合、通信状態が低下しているとして、処理要求に対して複数段階からなる優先順位を下げる、また、初期値の転送時間と比べて小さい場合は、通信状態が低下していないとして、優先順位を初期値に保つ。これによって、通信状態が処理スケジュールに反映されて、適応的な優先順位制御ができる。
【００２２】
通信サブシステム４１乃至４ｎは、利用者端末２１乃至２ｎとコンピュータ装置３０とを接続し、利用者端末２１乃至２ｎとコンピュータ装置３０との通信下位プロトコルを実行し、接続の通信回線を含むサブシステムである。
【００２３】
次に、第１の実施の形態の動作について図面を参照して説明する。図２のフローチャートを参照すると、利用者端末２１は、処理要求に発信時間を添付して（ステップ３０１）、コンピュータ装置３０に送信する（ステップ３０２）。コンピュータ装置３０は、該処理要求を受信する（ステップ３１１）。通信状態監視手段３１は、処理要求に添付された発信時間と、コンピュータ装置３０自身の時計とから、通信サブシステム４１の転送時間を測定し、通信状態を判定する（ステップ３１２）。優先順位更新手段３２は、該通信状態によって、利用者端末２１の処理要求に対する優先順位を更新する。優先順位は、該転送時間が初期値より大きいとき、優先順位を下げ、小さいとき、初期値の優先順位を保持する（ステップ３１３）。処理スケジュール手段３３は、更新された優先順に基づいて、処理要求をスケジュールする（３１４）。処理実行手段３４は、該スケジュールに基づいて、処理要求の業務処理を実行する（ステップ３１５）。処理実行手段３４は、処理終了を監視し、終了していないとき、処理を続行し（ステップ３１６のＮ）、処理終了で（ステップ３１６のＹ）、処理結果を通信状態監視手段３１を通じて、利用者端末２１に送信する。
【００２４】
以上の説明で、通信サブシステムの通信状態によって、処理要求の優先順位を適応的に更新できることは明らかである。また、利用者端末２１乃至２ｎから、定期的に発信時間を添付した通信状態測定用メッセージを送信することによって、コンピュータ装置３０における優先順を自動的に更新する変形を施すことは容易にできる。
【００２５】
図３を参照して、第２の実施の形態について説明する。コンピュータシステム１１は、利用者端末２１乃至２ｎと、利用者端末から処理要求の業務処理を実行するコンピュータ装置３０と、利用者端末２１乃至２ｎのそれぞれとコンピュータ装置３０とを接続する通信下位プロトコルを実行する通信サブシステム４１乃至４ｎと、を備える。
【００２６】
利用者端末２１乃至２ｎは、利用者が操作する端末装置で、コンピュータ装置３０に業務処理の処理要求をし、処理結果を受信する。更に、利用者端末２１乃至２ｎは、通信サブシステム４１乃至４ｎの通信状態を測定するため、通信状態監視手段２１２乃至２ｎ２を備える。通信状態監視手段２１２乃至２ｎ２は、コンピュータ装置３０から送信される処理結果に添付された発信時間と、自身の時計による受信時間とから、通信サブシステム４１乃至４ｎの転送時間を測定し、通信状態を判定する。利用者端末２１乃至２ｎは、処理要求に該通信状態を添付し、コンピュータ装置３０に送信する。
【００２７】
コンピュータ装置３０は、利用者端末２１乃至２ｎから処理要求を受信し、処理結果を送信する発信時間付送受信手段３５と、処理要求に添付されている通信状態を抽出する通信状態抽出手段３６と、該通信状態によって、利用者端末対応に処理要求の優先順位を更新する優先順位更新手段３２と、更新した優先順位に基づいて処理要求をスケジュールする処理スケジュール手段３３と、処理要求の業務処理を実行する処理実行手段３４と、を備えている。
【００２８】
優先順位の更新は、通信状態が示す、通信サブシステム４１乃至４ｎの転送時間が初期値の転送時間と比べて、大きい場合、通信状態が低下しているとして、複数段階でなる優先順位を下げる、また、小さい場合は、通信状態が低下していないとして、優先順位を初期値に保つ。これによって、通信状態が処理スケジュールに反映されて、適応的な優先順位制御ができる。
【００２９】
利用者端末２１乃至２ｎとコンピュータ装置３０とは、通信サブシステム４１乃至４ｎによって接続している。  通信サブシステム４１乃至４ｎは、利用者端末２１乃至２ｎとコンピュータ装置３０との通信下位プロトコルを実行し、通信回線を含むサブシステムである。
【００３０】
次に、図４のフローチャートを参照して、第２の実施例の動作について説明する。まず、利用者の利用者端末２１乃至２ｎは、通信状態監視手段が測定した通信サブシステム４１乃至４ｎの転送時間に基づく通信状態を保持し、処理要求に該通信状態を添付してコンピュータ装置３０に送信し、コンピュータ装置３０の発信時間付送受信手段３５は、該処理要求を受信する（ステップ３３１）。通信状態情報抽出手段３６は、該処理要求から通信状態情報を入手し、優先順位更新手段３２に渡す（ステップ３３２）。該通信状態情報に基づいて、利用者端末２１乃至２ｎ対応に処理要求の優先順位を更新する（ステップ３３３）。処理スケジュール手段３３は更新された優先順位によって、処理スケジュールする（ステップ３３４）。処実行手段３４は、処理スケジュールに基づいて、処理要求の業務処理を実行する（ステップ３３５）。該処理の終了を監視し終了していないとき（ステップ３３５のＮ）、処理を続行する。該処理が終了しているとき（ステップ３３５のＹ）、発信時間付送受信手段３５が処理結果にコンピュータ装置３０の発信時間を添付して、利用者端末２１乃至２ｎに送信する（ステップ３３７）。
【００３１】
利用者端末２１乃至２ｎは、コンピュータ装置３０から受信した処理結果に添付された発信時間から、通信サブシステム４１乃至４ｎの転送時間を測定して通信状態を判定して、保持する。
【００３２】
以上説明したように第２の実施の形態では、利用者端末２１乃至２ｎ側で、通信状態を知ることができるため、処理要求をする時間帯を選ぶことができ。また、コンピュータ装置３０から、定期的に通信状態測定用メッセージを送ることにより、自動的に通信状態を知ることができる。
【００３３】
更に、第１及び第２の実施の形態における方法を実行するプログラムは、図示しないシステムファイルに格納され、利用者端末２１乃至２ｎ及びコンピュータ装置３０にロードされて、動作させることは明らかなことである。
【産業上の利用可能性】
【００３４】
この発明は、クライアントサーバシステムのように、クライアントの利用者端末と、アプリケーションサーバに相当するコンピュータ装置と、を接続する通信サブシステムが通信状態で、メッセージやデータ転送の転送時間が変動し、コンピュータ装置の処理能力の利用に無駄が生じるようなシステムに使用することができる。
【図面の簡単な説明】
【００３５】
【図１】この発明の第１の実施の形態を示す図である。
【図２】図１のコンピュータシステムの動作を示すフローチャートである。
【図３】この発明の第２の実施の形態を示す図である。
【図４】図３のコンピュータシステムの動作を示すフローチャートである。
【図５】従来の処理能力の問題を例示する図である。
【符号の説明】
【００３６】
１０    コンピュータシステム
１１    コンピュータシステム
２１乃至２ｎ    利用者端末
３０    コンピュータ装置
３１    通信状態監視手段
３２    優先順位更新手段
３３    処理スケジュール手段
３４    処理実行手段
３５    発信時間付送受信手段
３６    通信状態情報抽出手段
４１乃至４ｎ    通信サブシステム
２１１乃至２ｎ１    発信時間付送受信手段
２１２乃至２ｎ２    通信状態監視手段
【図１】
2006277308.tif 000003
【図２】
2006277308.tif 000004
【図３】
2006277308.tif 000005
【図４】
2006277308.tif 000006
【図５】
2006277308.tif 000007